(57)【要約】【課題】本発明は、高い洗剤濃度で洗浄可能な洗濯機において、高い洗剤濃度で洗うコースでは、すすぎ効率を高めることで、使用水量を増やすことなく、すすぎ性能を確保する。【解決手段】コース設定手段１８により、標準洗剤濃度で洗う標準コースと、標準洗剤濃度よりも高い洗剤濃度で洗う高濃度コースを設定できるようにし、高濃度コースを設定したとき、中間脱水時間設定手段２３は、すすぎ行程での中間脱水の時間を、標準コースの中間脱水時間より長くし、中間脱水の脱水率を標準コースの脱水率よりも高く設定する。【選択図】　図１
2004105584.tif 000002
【特許請求の範囲】
【請求項１】
標準洗剤濃度で洗う標準コースと、標準洗剤濃度よりも高濃度で洗う高濃度コースとを有し、すすぎ行程で行う中間脱水の脱水率を、前記高濃度コースでは、前記標準コースの脱水率よりも高く設定した洗濯機。
【請求項２】
高濃度コースでは、中間脱水の時間を標準コースの中間脱水の時間より長くする請求項１記載の洗濯機。
【請求項３】
高濃度コースでは、中間脱水の回転数を標準コースの中間脱水の回転数より高くする請求項１記載の洗濯機。
【請求項４】
高濃度コースでは、中間脱水行程の途中で、洗濯兼脱水槽を停止し、パルセーターを撹拌する布ほぐし行程を実行する請求項１記載の洗濯機。
【発明の詳細な説明】
【０００１】
【発明の属する技術分野】
本発明は、高い洗剤濃度で洗浄可能な洗濯機に関する。
【０００２】
【従来の技術】
従来、代表的な洗濯機は、パルセーターと呼ばれる撹拌翼を回転させて洗濯するものであり、この種の洗濯機の構成を図７を参照しながら説明する。
【０００３】
図７に示すように、外槽１は、底部にパルセーター２を回転自在に配設した洗濯兼脱水槽３を内包し、吊り棒４により洗濯機外枠５に吊り下げている。モータ６は、Ｖベルト７および減速機構兼クラッチ８を介して、パルセーター２または洗濯兼脱水槽３を駆動する。排水弁９は洗濯兼脱水槽３内の洗濯水を排水し、給水弁１０は洗濯兼脱水槽３内に給水するもので、水位検知手段１４は、外槽１内の水位を検知するものである。
【０００４】
洗濯兼脱水槽３には脱水時の振動を低減させるための流体バランサー１１を設け、洗濯兼脱水槽３の上部には蓋１２を配設している。制御装置１３は、モータ６、排水弁９、給水弁１０などを制御して、洗い、すすぎ、脱水の各行程を逐次制御するものである。
【０００５】
上記構成において動作を説明すると、洗濯兼脱水槽３に洗濯物と洗剤を投入した後、給水弁１０と水位検知手段１４によって洗濯物の量に適した水量を給水し、モータ６を駆動することにより、パルセーター２を回転させる。パルセーター２の回転により、洗濯物と洗濯液を撹拌し、布相互の摩擦や布と洗濯兼脱水槽３の内壁およびパルセーター２との摩擦によって、汚れの除去を行う。
【０００６】
その後、排水弁９を作動して、洗濯兼脱水槽３内の洗濯液を排水し、モータ６を駆動して洗濯兼脱水槽３を回転させ、中間脱水を行い、次行程のすすぎに移る。この中間脱水は、洗濯物に含まれる洗剤成分を絞るので、すすぎ効率を高める効果がある。中間脱水の後、給水弁１０を作動させて設定水位まで給水し、パルセーター２を回転させ、すすぎ行程を実行する。その後、排水、中間脱水、すすぎ行程をもう一度行った後、排水弁９を作動させ洗濯兼脱水槽３内のすすぎ液を排水し、モータ６を駆動して洗濯兼脱水槽３を回転させ、洗濯物に含まれる水分を脱水する。
【０００７】
ここで、高い洗浄力を得るために、高い洗剤濃度で洗濯するようにしている（例えば、特許文献１参照）。
【０００８】
【特許文献１】
特公昭６３−３２４７５号公報
【０００９】
【発明が解決しようとする課題】
しかしながら、このような従来の構成では、高い洗浄力を得るために、高い洗剤濃度で洗い行程を実行すると、すすぎ性能が低下してしまう。すすぎ性能を確保するには、洗い行程で、後半に給水をして標準濃度まで薄めてからすすぎを行うか、すすぎ回数を増やすしかなく、使用水量が増えてしまうという問題があった。
【００１０】
本発明は上記従来の課題を解決するもので、高い洗剤濃度で洗うコースでは、すすぎ効率を高めることで、使用水量を増やすことなく、すすぎ性能を確保することを目的としている。
【００１１】
【課題を解決するための手段】
本発明は上記目的を達成するために、標準洗剤濃度で洗う標準コースと、標準洗剤濃度よりも高濃度で洗う高濃度コースを有し、高濃度コースでは、すすぎ行程で行う中間脱水の脱水率を、標準コースの脱水率よりも高く設定したものである。
【００１２】
これにより、高い洗剤濃度で洗うコースでは、すすぎ効率を高めることで、使用水量を増やすことなく、すすぎ性能を確保することができる。
【００１３】
【発明の実施の形態】
本発明の請求項１に記載の発明は、標準洗剤濃度で洗う標準コースと、標準洗剤濃度よりも高濃度で洗う高濃度コースとを有し、すすぎ行程で行う中間脱水の脱水率を、前記高濃度コースでは、前記標準コースの脱水率よりも高く設定したものであり、高い洗剤濃度で洗うコースですすぎ効率を高めることで、使用水量を増やすことなくすすぎ性能を確保することができる。
【００１４】
請求項２に記載の発明は、上記請求項１に記載の発明において、高濃度コースでは、中間脱水の時間を標準コースの中間脱水の時間より長くするものであり、高い洗剤濃度で洗うコースで、中間脱水の時間を長くすることで、すすぎ効率を高めることができ、使用水量を増やすことなくすすぎ性能を確保することができる。
【００１５】
請求項３に記載の発明は、上記請求項１に記載の発明において、高濃度コースでは、中間脱水の回転数を標準コースの中間脱水の回転数より高くするものであり、高い洗剤濃度で洗うコースで、中間脱水の回転数を高くすることで、すすぎ効率を高めることができ、使用水量を増やすことなくすすぎ性能を確保することができる。
【００１６】
請求項４に記載の発明は、上記請求項１に記載の発明において、高濃度コースでは、中間脱水行程の途中で、洗濯兼脱水槽を停止し、パルセーターを撹拌する布ほぐし行程を実行するものであり、高い洗剤濃度で洗うコースで、中間脱水行程の途中で布ほぐし行程を実行することで、すすぎ効率を高めることができ、使用水量を増やすことなくすすぎ性能を確保することができる。
【００１７】
【実施例】
以下、本発明の実施例について、図面を参照しながら説明する。なお、従来例と同じ構成のものは、同一符号を付して説明を省略する。
【００１８】
（実施例１）
図１および図２に示すように、制御装置１５は、マイクロコンピュータで構成した制御手段１６を有し、制御手段１６は、パワースイッチング手段１７を介してモータ６、給水弁１０、排水弁９などの動作を制御し、洗い、すすぎ、脱水などの一連の行程を逐次制御する。
【００１９】
コース設定手段１８は、洗濯コースを設定するもので、標準洗剤濃度で洗う標準コースと、標準洗剤濃度よりも高い洗剤濃度で洗う高濃度コースを設定できるようにしている。布量検知手段１９は、洗濯兼脱水槽３内に投入した洗濯物の量を検知するものである。洗剤量判定手段２０は、コース設定手段１８、布量検知手段１９の信号を取り込んで、コースと布量に応じた洗剤量を判定し、表示手段２１で表示して使用者に知らせる。
【００２０】
水量判定手段２２は、コース設定手段１８と布量検知手段１９の信号を取り込んで、コースと布量に応じた水量を判定し、給水弁１０および水位検知手段１４によって、洗濯兼脱水槽３内に給水する。中間脱水時間設定手段２３は、コース設定手段１８の信号を取り込んで、中間脱水時間を設定する。なお、２４は商用電源、２５は電源スイッチである。
【００２１】
ここで、中間脱水時間設定手段２３は、コース設定手段１８により、高い洗剤濃度で洗う高濃度コースを設定したとき、すすぎ行程での中間脱水の時間を、標準コースの中間脱水時間１分に対して４分とし、中間脱水の脱水率を標準コースの脱水率よりも高く設定している。
【００２２】
上記構成において動作を説明すると、洗濯兼脱水槽３内に洗濯物を投入し、コース設定手段１８により、洗濯コースを設定し、運転を開始する。布量検知手段１９により、洗濯兼脱水槽３内の洗濯物の量を判定し、布量検知手段１９の信号とコース設定手段１８の信号に基づき、洗剤量判定手段２０が洗剤量を判定し、表示手段２１により洗剤量を表示し、洗濯兼脱水槽３内に洗剤を投入する。
【００２３】
つぎに、布量検知手段１９の信号とコース設定手段１８の信号に基づき、水量判定手段２２は、水量を判定し、給水弁１０および水位検知手段１４によって、洗濯兼脱水槽３内に給水する。その後、モータ６を駆動させることにより、パルセーター２を回転させる。パルセーター２の回転により、洗濯物と洗濯液を撹拌し、布相互の摩擦や布と洗濯兼脱水槽３の内壁およびパルセーター２との摩擦によって、汚れの除去を行う。
【００２４】
その後、すすぎ行程を実行するが、まず、排水弁９を作動して、洗濯兼脱水槽３内の洗濯液を排水し、モータ６を駆動して洗濯兼脱水槽３を回転させ、１回目の中間脱水を行い、洗濯物に含まれる洗濯液を脱水する。そして、給水弁１０を作動させて設定水位まで給水し、パルセーター２を回転させ、すすぎ行程を実行する。その後、もう一度排水弁９を作動させ洗濯兼脱水槽３内の洗濯液を排水し、モータ６を駆動して洗濯兼脱水槽３を回転させ、２回目の中間脱水を行う。
【００２５】
そして、給水弁１０を作動させて設定水位まで給水し、パルセーター２を回転させ、すすぎ行程を実行する。さらに、排水弁９を作動させ洗濯兼脱水槽３内の洗濯液を排水し、モータ６を駆動して洗濯兼脱水槽３を回転させ、洗濯物に含まれる水分を脱水する。
【００２６】
図３は、脱水時間と脱水率の関係を示しており、脱水回転数が８００ｒ／ｍｉｎの場合、脱水時間が１分では５５％であるが、脱水時間が４分では６０％まで上昇する。
【００２７】
つぎに、各コースの洗剤成分の希釈例について説明する。３ｋｇの洗濯物を投入し、標準コースを選択した場合、洗剤量判定手段２０は２０ｇと判定し、水量判定手段２２は３０Ｌと判定する。洗剤を所定量投入した後、所定水量まで給水後、洗い行程を実行する。標準コースでは、中間脱水を１分実行するので（脱水率は５５％で、含水量は２．５Ｌ）、１回目の中間脱水終了後洗濯物に含まれる洗剤量は２０ｇ／３０Ｌ×２．５Ｌ＝１．６７ｇである。
【００２８】
その後、３０Ｌ給水の後、すすぎ行程を実行し（１．６７ｇ／３０Ｌ）、２回目の中間脱水を１分行う。２回目の中間脱水終了後洗濯物に含まれる洗剤量は１．６７ｇ／３０Ｌ×２．５Ｌ＝０．１４ｇである。その後、再度３０Ｌ給水後、すすぎ行程を実行し（０．１４ｇ／３０Ｌ）、最終脱水は４分行うので（脱水率は６０％で、含水量は２Ｌ）、洗濯物３ｋｇには０．１４ｇ／３０Ｌ×２Ｌ＝０．００９ｇの洗剤成分しか残留しない。
【００２９】
３ｋｇの洗濯物を投入し、高濃度コースを選択した場合、洗剤量判定手段２０は３０ｇと判定し、水量判定手段２２は３０Ｌと判定する。洗剤を所定量投入した後、所定水量まで給水後、洗い行程を実行する。高濃度コースでは、中間脱水を４分実行するので（脱水率は６０％で、含水量は２Ｌ）、１回目の中間脱水終了後洗濯物に含まれる洗剤量は３０ｇ／３０Ｌ×２Ｌ＝２ｇである。
【００３０】
その後、３０Ｌ給水の後、すすぎ行程を実行し（２ｇ／３０Ｌ）、２回目の中間脱水を４分行う。２回目の中間脱水終了後洗濯物に含まれる洗剤量は２ｇ／３０Ｌ×２Ｌ＝０．１３ｇである。その後、再度３０Ｌ給水後、すすぎ行程を実行し（０．１３ｇ／３０Ｌ）、最終脱水は４分行うので、（脱水率は６０％で、含水量は２Ｌ）洗濯物３ｋｇには０．１３ｇ／３０Ｌ×２Ｌ＝０．００９ｇの洗剤成分しか残留せず、標準コースと同じすすぎ性能となる。
【００３１】
このように、高濃度コースでは、中間脱水の時間を標準コースの中間脱水より長くし、中間脱水の脱水率を高くすることにより、使用水量を増やすことなくすすぎ性能を確保することができる。
【００３２】
以上のように、コースに応じて、中間脱水の時間を変更することにより、日常的に使い、所要時間が短いことが望まれる標準コースでは、洗濯所要時間が短くてもすすぎ性能を確保し、高濃度コースでは、洗濯所要時間が若干（本実施例では６分）長くなるが、使用水量を増やさずすすぎ性能を確保することができる。
【００３３】
なお、本実施例では、高濃度コースの洗い行程では、洗剤量を多く投入するようにしたが、洗剤量は標準コースと同じで、設定水量を少なくして洗剤濃度を高めた場合でも、同様の効果が得られる。
【００３４】
（実施例２）
図４に示すように、中間脱水回転数設定手段２６は、コース設定手段１８の信号を取り込んで、中間脱水の洗濯兼脱水槽３の回転数を設定するもので、コース設定手段１８により、高い洗剤濃度で洗う高濃度コースを設定したとき、すすぎ行程での中間脱水の回転数を、標準コースの中間脱水回転数８００ｒ／ｍｉｎに対して９００ｒ／ｍｉｎとし、中間脱水の脱水率を標準コースの脱水率よりも高く設定している。他の構成は上記実施例１と同じであり、同一符号を付して説明を省略する。
【００３５】
図５は、脱水回転数と脱水率の関係を示しており、脱水時間が１分の場合、脱水回転数が８００ｒ／ｍｉｎでは脱水率は５５％であるが、脱水回転数が９００ｒ／ｍｉｎでは６０％まで上昇する。
【００３６】
各コースの洗剤成分の希釈例については、上記実施例１と同様で、高濃度コースは中間脱水の脱水率が６０％と高いため、洗い行程での洗剤濃度１．５倍であっても、最終脱水後の洗濯物に含まれる洗剤量は標準コースと同じになり、標準コースと同じすすぎ性能となる。
【００３７】
このように、高濃度コースでは、中間脱水の回転数を標準コースの中間脱水より高くし、中間脱水の脱水率を高くすることにより、使用水量を増やすことなくすすぎ性能を確保することができる。
【００３８】
以上のように、コースに応じて、中間脱水の回転数を変更することにより、日常的に使い脱水騒音が気になる標準コースでは、脱水回転数が低くてもすすぎ性能を確保し、高濃度コースでは、脱水騒音が若干高くなるが、使用水量を増やすことなく、すすぎ性能を確保することができる。
【００３９】
（実施例３）
図６に示すように、制御手段２７は、コース設定手段１８により、高濃度コースを選択した場合、中間脱水行程の途中で、洗濯兼脱水槽３の回転を停止し、パルセーター２を撹拌する布ほぐし行程を実行するよう構成している。他の構成は上記実施例１と同じであり、同一符号を付して説明を省略する。
【００４０】
上記構成において動作を説明すると、高い洗剤濃度での洗い行程終了後、排水弁１０を作動して、洗濯兼脱水槽３内の洗濯液を排水し、モータ６を駆動して洗濯兼脱水槽３を回転させ、中間脱水を行う。中間脱水を８００ｒ／ｍｉｎで１分行った後、洗濯兼脱水槽３の回転を一旦停止する。このとき、洗濯物の脱水率は５５％である。
【００４１】
この後、パルセーター２を低速で約３０秒間反転させることにより、洗濯兼脱水槽３に張り付いた洗濯物がパルセーター２により剥され、洗濯兼脱水槽３内で位置を変える。そして、再度モータ６を駆動して洗濯兼脱水槽３を回転させ中間脱水を８００ｒ／ｍｉｎで１分行う。洗濯物の位置が入れ換わっているので、脱水むらを防止することができ、脱水率は約６０％まで上げることができる。
【００４２】
このように、高濃度コースで、中間脱水行程の途中で、洗濯兼脱水槽の回転を停止し、パルセーター２を撹拌する布ほぐし行程を実行することにより、中間脱水の脱水率を高くすることができ、使用水量を増やすことなく、所要時間をあまり延ばすことなくすすぎ性能を確保することができる。
【００４３】
【発明の効果】
以上のように、本発明の請求項１に記載の発明によれば、標準洗剤濃度で洗う標準コースと、標準洗剤濃度よりも高濃度で洗う高濃度コースとを有し、すすぎ行程で行う中間脱水の脱水率を、高濃度コースでは、標準コースの脱水率よりも高く設定することにより、高い洗剤濃度で洗うコースですすぎ効率を高めることで、使用水量を増やすことなくすすぎ性能を確保することができる。
【図面の簡単な説明】
【図１】本発明の第１の実施例の洗濯機のブロック回路図
【図２】同洗濯機の縦断面図
【図３】同洗濯機の脱水時間と脱水率の関係を示す図
【図４】本発明の第２の実施例の洗濯機のブロック回路図
【図５】同洗濯機の脱水回転数と脱水率の関係を示す図
【図６】本発明の第３の実施例の洗濯機のブロック回路図
【図７】従来の洗濯機の縦断面図
【符号の説明】
１８　コース設定手段
２３　中間脱水時間設定手段
【図１】
2004105584.tif 000003
【図２】
2004105584.tif 000004
【図３】
2004105584.tif 000005
【図４】
2004105584.tif 000006
【図５】
2004105584.tif 000007
【図６】
2004105584.tif 000008
【図７】
2004105584.tif 000009